(57)【要約】【課題】遊技機における被払い出し物収容箱の盗難を容易に防止できるようにする。【解決手段】棚１１０に載置された被払い出し物収容箱１２０を棚１１０から取り出し不能に固定するロック装置２０を有する。ロック装置２０は、被払い出し物収容箱１２０の一部に係脱可能に係合して棚１１０との間で被払い出し物収容箱１２０を棚１１０から取り出し不能に固定する。ロック装置２０によって被払い出し物収容箱１２０が棚１１０から取り出し不能に固定されている際に遊技機を遊技不能状態とする遊技制限手段も有する。【選択図】図１
2007111062.tif 000002
【特許請求の範囲】
【請求項１】
遊技機から払い出される被払い出し物を収容する被払い出し物収容箱の盗難を防止する盗難防止システムであって、
被払い出し物収容箱載置部に載置された前記被払い出し物収容箱を当該被払い出し物収容箱載置部から取り出し不能に固定するロック装置
を有する、遊技機における盗難防止システム。
【請求項２】
請求項１に記載の遊技機における盗難防止システムであって、
前記ロック装置は、前記被払い出し物収容箱の一部に係脱可能に係合して前記被払い出し物収容箱載置部との間で前記被払い出し物収容箱を当該被払い出し物収容箱載置部から取り出し不能に固定するものである、
遊技機における盗難防止システム。
【請求項３】
請求項１又は請求項２に記載の遊技機における盗難防止システムであって、
前記ロック装置によって前記被払い出し物収容箱が当該被払い出し物収容箱載置部から取り出し不能に固定されている際に前記遊技機を遊技不能状態とする遊技制限手段
を有する、遊技機における盗難防止システム。
【発明の詳細な説明】
【技術分野】
【０００１】
本発明は、遊技機における被払い出し物収容箱の盗難を防止するシステムに関するものである。
【背景技術】
【０００２】
回胴遊技機（スロットマシン）や弾球遊技機（パチンコ機）等の遊技機においては、遊技者によって遊技され、「当たり」となった場合には、コイン（スロットマシンの場合）やパチンコ球（パチンコ機の場合）が払い出される。このように払い出される物のことを被払い出し物ということとする。
そして、その被払い出し物は、遊技者によって収容箱（被払い出し物収容箱）に収容され、再度の遊技に供されたり、賞品と交換されたりする。
【０００３】
ところで、遊技者は、遊技の途中において、トイレ等のために席を立つ場合もある。その際にその被払い出し物収容箱が盗難にあう場合もあった。
しかしながら、従来においては、遊技ホールに設置されている防犯カメラで監視される程度であり、その効果は不十分であった。
【０００４】
また、特許文献１には、パチンコホールの床に載置される収容箱を椅子やカウンター（パチンコ機の下部において手前側へ突出するほぼ水平な板）に対して鎖によって連結して盗難を防止する、という技術的思想が開示されている。
【０００５】
しかしながら、収容箱を鎖で椅子やカウンターに連結するのは煩雑である。
【特許文献１】特開平１２−３５０８５３公報
【発明の開示】
【発明が解決しようとする課題】
【０００６】
本発明は、遊技機における被払い出し物収容箱の盗難を容易に防止できる盗難防止システムを提供することを目的とする。
【課題を解決するための手段】
【０００７】
上記の目的を達成するために、請求項１に係る発明は、遊技機から払い出される被払い出し物を収容する被払い出し物収容箱の盗難を防止する盗難防止システムであって、
被払い出し物収容箱載置部に載置された前記被払い出し物収容箱を当該被払い出し物収容箱載置部から取り出し不能に固定するロック装置を有する、遊技機における盗難防止システムである。
【０００８】
上記発明の遊技機における盗難防止システムにおいては、被払い出し物収容箱載置部に載置された前記被払い出し物収容箱が、ロック装置によって当該被払い出し物収容箱載置部から取り出し不能に固定される。
このため、この発明の盗難防止システムでは、遊技者が席を立つ際にロック装置によって被払い出し物収容箱を当該被払い出し物収容箱載置部から取り出し不能に固定しておくことによって、遊技者が席を立っている際において被払い出し物収容箱が盗難にあうことが容易に防止される。
【０００９】
請求項２に係る発明は、請求項１に係る発明の遊技機における盗難防止システムであって、前記ロック装置は、前記被払い出し物収容箱の一部に係脱可能に係合して前記被払い出し物収容箱載置部との間で前記被払い出し物収容箱を当該被払い出し物収容箱載置部から取り出し不能に固定するものである、遊技機における盗難防止システムである。
【００１０】
上記発明の遊技機における盗難防止システムにおいては、請求項１に係る発明の遊技機における盗難防止システムの作用効果がより具体的に得られる。
すなわち、固定部材が前記被払い出し物収容箱の一部に係脱可能に係合して前記被払い出し物収容箱載置部との間で前記被払い出し物収容箱を当該被払い出し物収容箱載置部から取り出し不能に固定する。
こうして、ロック装置によって、被払い出し物収容箱載置部に載置された前記被払い出し物収容箱が当該被払い出し物収容箱載置部から取り出し不能に固定される。
【００１１】
請求項３に係る発明は、請求項１又は請求項２に係る発明の遊技機における盗難防止システムであって、前記ロック装置によって前記被払い出し物収容箱が当該被払い出し物収容箱載置部から取り出し不能に固定されている際に前記遊技機を遊技不能状態とする遊技制限手段を有する、遊技機における盗難防止システムである。
【００１２】
上記発明の遊技機における盗難防止システムにおいては、請求項１又は請求項２に係る発明の遊技機における盗難防止システムの作用効果に加えて次の作用効果が得られる。
この盗難防止システムでは、ロック装置によって被払い出し物収容箱が当該被払い出し物収容箱載置部から取り出し不能に固定されている際に、遊技制限手段によって遊技機が遊技不能状態とされる。
すなわち、この発明の盗難防止システムでは、遊技者が遊技中に席を立つ際にロック装置によって被払い出し物収容箱を当該被払い出し物収容箱載置部から取り出し不能に固定するのに伴って、遊技制限手段によって遊技機が遊技不能状態となる。
このため、遊技者が席を立っている際において第三者が不正にその遊技機で遊技しようとすることも防止される。
【発明の効果】
【００１３】
以上のように、本発明の遊技機における盗難防止システムでは、被払い出し物収容箱の盗難を容易に防止することができる。
【発明を実施するための最良の形態】
【００１４】
次に、本発明の一実施形態について、図面に基づいて説明する。本発明が回胴遊技機（スロットマシン）に適用された場合のものを中心に説明する。
図１及び図２に示すように、遊技ホールには、多数の取付壁部２００が立設されている（図１及び図２においては１つの取付壁部２００のみが示されている）。
そして、その各取付壁部２００に設けられた各区画（「島」ともいわれる）に対して、スロットマシン１００（又はパチンコ機）が取り付けられている。
なお、遊技ホールには、適宜、監視カメラ２１０も設けられている。
【００１５】
スロットマシン１００は、複数個（例えば３個）のドラム１０１ａ，１０１ｂ，１０１ｃを並列的に有している。各ドラム１０１ａ〜１０１ｃは円筒状をなし、その周面には複数個の図柄が表示されている。
また、スロットマシン１００には、コイン投入口１０２，スタートレバー１０３，複数個（例えば３個）の停止ボタン１０４ａ，１０４ｂ，１０４ｃ，コイン払い出し部１０５が設けられている。各停止ボタン１０４ａ〜１０４ｃは、各ドラム１０１ａ〜１０１ｃに対応している。
そして、コイン投入口１０２からコインが投入され（そのコインは、スロットマシン１００の内部の所定のコイン収容スペースに収容される）、スタートレバー１０３が操作されることに基づいて各ドラム１０１ａ〜１０１ｃが回転を開始し、各停止ボタン１０４ａ〜１０４ｃが押されることに基づいて各ドラム１０１ａ〜１０１ｃが回転を停止する。そして、各ドラム１０１ａ〜１０１ｃが静止表示する図柄（正確にいえば、停止した状態において各ドラム１０１ａ〜１０１ｃの前面に位置する図柄）には「当たり」と「はずれ」があり、「当たり」の場合には（例えば「７７７」）、コイン払い出し部１０５から複数枚のコインが払い出される。
以上が、このスロットマシン１００の通常の状態である遊技可能状態である。
【００１６】
一方、このスロットマシン１００には、次のように、遊技不能状態という状態もある。
すなわち、コイン投入口１０２の下流側にはコイン流路切換装置１０６（図１において図示省略。図５に図示）が設けられている。コイン流路切換装置１０６は、コイン投入口１０２から流れてくるコインについて、上述の所定のコイン収容スペースへ向かう流路及び直接的にコイン払い出し部１０５へ向かう流路のうちのいずれかに流れるように切り換える装置である（その構造自体は周知のものである）。
そして、前述したように、通常はコインが上述の所定のコイン収容スペースに流れて遊技ができるようにされている（遊技可能状態）が、コイン流路切換装置１０６によってその下流側の流路が切り換えられることによって、コイン投入口１０２から投入されたコインは、スロットマシン１００の内部を素通りして、コイン払い出し部１０５から流出し、遊技できない状態となる。これが遊技不能状態である。
【００１７】
前述のように遊技可能状態にある状態で遊技がされ、「当たり」となってコイン払い出し部１０５から払い出されたコイン（被払い出し物）は、被払い出し物収容箱（以下、単に「収容箱」ともいう）１２０に収容される。
図４に示すように、収容箱１２０は、上方に開口した直方体状の容器である。すなわち、収容箱１２０は、底板部１２１，奥行方向（収容箱１２０が棚１１０に載置された状態におけるはスロットマシン１００の奥行方向）に一対をなす長辺壁板部１２２ａ，１２２ｂ，左右方向（収容箱１２０が棚１１０に載置された状態におけるはスロットマシン１００の幅方向）に一対をなす短辺壁板部１２３ａ，１２３ｂを有している。
【００１８】
この実施形態の盗難防止システムは、各スロットマシン１００（図１）ごとに設けられている。
図１及び図５に示すように、この盗難防止システムは、ロック装置２０，操作部５０を有している。
図３に示すように、ロック装置２０は、フレーム２１，固定部材３０等を有している。
フレーム２１は、一対の縦材部２２，上板部２３ａ，下板部２３ｂを有している。上板部２３ａと下板部２３ｂとにわたってボールねじ２４が設けられている。下板部２３ｂにはモータ２５（ステッピングモータ）が設けられており、ボールねじ２４はモータ２５によって回転するようにされている。
図３及び図４に示すように、固定部材３０は、スロットマシン１００の奥行方向に一対をなす縦板部３１ａ，３１ｂと、両縦板部３１ａ，３１ｂの上端部同士を連結する上板部３２を有している。
図３に示すように、固定部材３０（その奥側の縦板部３１ｂ）には奥方向にほぼ水平に延びる一対の連結材３４が設けられ、両連結材３４の先端部（奥側の端部）には、昇降部材３５が固定されている。一対の連結材３４は、フレーム２１の一対の縦材部２２の内側に位置し、各縦材部２２に対して摺動可能に当接している。
昇降部材３５にはめねじ３６が形成されており、昇降部材３５（そのめねじ３６）にボールねじ２４が螺合している。
以上のようにして、モータ２５の正逆の回転に伴って、昇降部材３５が昇降し、固定部材３０が上昇位置（図３及び図４において実線で示す）と下降位置（図３及び図４において２点鎖線で示す）との間を昇降するようにされている。
【００１９】
固定部材３０は通常は上昇位置に位置しており、その状態で固定部材３０は収容箱１２０（その奥側の長辺壁板部１２２ｂ）に係合せず、棚１１０に載置された収容箱１２０は棚１１０から取り出し可能である（これを収容箱非固定モードということとする）。その状態が、図１における最も右側のスロットマシン１００に設けられた固定部材３０（ロック装置２０）及び図２（ａ）に示され、図３及び図４において実線で示されている。
一方、固定部材３０が降位置に位置する状態で、固定部材３０は収容箱１２０（その奥側の長辺壁板部１２２ｂ）に係合し、棚１１０に載置された収容箱１２０は棚１１０から取り出し不可能である（これを収容箱固定モードということとする）。その状態が、図１における最も左側のスロットマシン１００に設けられた固定部材３０（ロック装置２０）及び図２（ｂ）に示され、図３及び図４において２点鎖線で示されている。
そのようになるように各部材の位置関係が設定されている。
【００２０】
また、図５に示すように、盗難防止システムはＣＰＵ（中央演算処理装置）１０を有し、ロック装置２０（そのモータ２５），操作部５０はＣＰＵ１０に接続されている。
ＣＰＵ１０には、前述したコイン流路切換装置１０６，メモリ１２も接続されている。メモリ１２には、後述の制御をするためのプログラムが記憶されているとともに、各種のデータ等が記憶される。
【００２１】
図１に示すように、操作部５０は、棚１１０の近傍（棚１１０の下側）に設けられている。
図６に示すように、操作部５０には、起動表示ランプ５２，番号入力キー５３，開始／終了キー５４，表示部５６，暗証番号シート発行部５７，リセット部５８がある。
番号入力キー５３及び開始／終了キー５４が操作されることによって、この盗難防止システムは収容箱固定モードとされる。
収容箱固定モードにある状態において、再度番号入力キー５３及び開始／終了キー５４が操作されることによって、この盗難防止システムは収容箱非固定モードとされる。
リセット部５８は鍵穴を有し、この盗難防止システムが収容箱固定モードとされている際に、遊技ホールの係員が所定のキーを挿入して操作することによって、収容箱非固定モードとされる。そのスロットマシン１００の遊技者が上述のようにして収容箱固定モードとした後に暗証番号を忘れた等の非常事態の際に使用される。
【００２２】
次に、この盗難防止システムの作用について、図７のフローチャート等に基づいて説明する。
通常は、この盗難防止システムは収容箱非固定モードとされており、スロットマシン１００（図１）は遊技可能状態である（このことは前述）。
すなわち、棚１１０に載置された収容箱１２０は棚１１０から取り出し可能であるとともに（図２（ａ）等参照）、コイン流路切換装置１０６（図５）によって、コイン投入口１０２（図１）に投入されたコインはスロットマシン１００の内部の所定のコイン収容スペース（前述）に向かって流れるようにされている。
そして、遊技中に「当たり」となって払い出されたコイン（被払い出し物）は、収容箱１２０に収容され、その収容箱１２０は棚１１０の上に載置される（図１及び図２（ａ）参照）。
【００２３】
遊技者が遊技中に席を立つ際には、遊技者によって操作部５０（図６）が次のようにオン操作され（ステップＳ１０でＹｅｓとなる）、この盗難防止システムは収容箱固定モードとされる（ステップＳ１２）。
すなわち、図２（ｂ）等に示すように、棚１１０に載置された収容箱１２０は、棚１１０から取り出すことができない状態とされる。
【００２４】
そのオン操作は、遊技者によって番号入力キー５３において任意の暗証番号が入力され、開始／終了キー５４が押されることによって行われる。
なお、暗証番号が番号入力キー５３において入力される際には、確認のために、表示部５６においてその番号が表示される。また、暗証番号が入力され開始／終了キー５４が押されることによって、暗証番号シート発行部５７から、その暗証番号が印刷されたシートが発行される。
収容箱固定モードにおいては、起動表示ランプ５２が発光状態となる。
【００２５】
また、上述のようにして収容箱固定モードとされることに伴って、スロットマシン１００は遊技不能状態（図１の左端，図２（ｂ））とされる（ステップＳ１４）。
すなわち、コイン流路切換装置１０６（図４）によって、コイン投入口１０２（図１）に投入されたコインは、スロットマシン１００の内部を素通りしてコイン払い出し部１０５から流出する。こうして、スロットマシン１００は、誰もが遊技できない状態となる。
このステップＳ１４及びコイン流路切換装置１０６（図４）が、本発明の遊技制限手段に該当する。
【００２６】
また、この盗難防止システムが収容箱固定モードにあり、スロットマシン１００（図１）が遊技不能状態とされている状態（ステップＳ１４）において、その遊技者によって操作部５０（図６）においてオフ操作される（ステップＳ１６でＹｅｓとなる）ことによって、この盗難防止システムは収容箱非固定モードとされる（ステップＳ１８）。
【００２７】
そのオフ操作は、先ほどオン操作された際の暗証番号が番号入力キー５３において入力され、開始／終了キー５４が押されることによって行われる。
なお、オン操作の場合と同様に、暗証番号が番号入力キー５３において入力される際には、確認のために、表示部５６においてその番号が表示される。また、暗証番号を忘れた際には、先ほど暗証番号シート発行部５７から発行されたシートが参照される。
収容箱非固定モードにおいては、起動表示ランプ５２が非発光状態となる。
【００２８】
また、この盗難防止システムが収容箱非固定モードに戻るのに伴ってスロットマシン１００が遊技可能状態（図１の右端，図２（ａ））に戻り（ステップＳ２０）、リターンされる。
すなわち、コイン流路切換装置１０６（図４）によって、コイン投入口１０２（図１）に投入されたコインは、スロットマシン１００の内部の所定のコイン収容スペース（前述）に向かって流れるようにされる。
【００２９】
すなわち、遊技者が席に戻って上述のオフ操作をすることによって、収容箱非固定モードとなって棚１１０から収容箱１２０を取り出すことが可能となるとともに、遊技を再開することができるようになるのである。
【００３０】
以上のように、この監視システムでは、遊技者が遊技中に席を立つ際に、操作部５０をオン操作することによって収容箱固定モードとなり、第三者によって収容箱１２０が不正に持ち出される（盗難にあう）ことが防止される。
【００３１】
また、この監視システムでは、収容箱固定モードにおいては、スロットマシン１００が遊技不能状態となるため、第三者が不正にそのスロットマシン１００で遊技をしようとすることも防止される。
【００３２】
また、上述したように操作部５０において暗証番号が入力されることによって収容箱非固定モードから収容箱固定モードに切り換えるとともに、収容箱固定モードから収容箱非固定モードに戻すためにも操作部５０において同じ暗証番号が入力される必要がある。このようにして、この盗難防止システムでは、本人確認が行われる。
このため、そのスロットマシン１００において遊技をしていた遊技者しか収容箱固定モードから収容箱非固定モードに戻すことができず、第三者によって不正に収容箱固定モードが解除されることが防止される。
【００３３】
なお、上記のものはあくまで本発明の一実施形態にすぎず、当業者の知識に基づき種々の変更を加えた態様で本発明を実施できることはもちろんである。
【００３４】
例えば、上記の実施態様では、盗難防止システムが収容箱固定モードにされるのに伴ってスロットマシンが遊技不能状態とされるが、本発明はそのような態様に限定されず、スロットマシンは常に遊技可能状態であってもよい。
【００３５】
また、本発明の盗難防止システムは、スロットマシン１００でなくパチンコ機に対して設けられてもよい。
その際、被払い出し物収容箱載置部は、遊技機の上部の棚１１０でなく、遊技機の下部のカウンター（手前側へ突出するほぼ水平な板）であってもよい。
【００３６】
また、上記の実施形態では、操作部５０において収容箱固定モードと収容箱非固定モードとを切り換える際の本人確認が、暗証番号によるものである。しかし、それに限らず、本人確認は、その遊技ホールが各遊技者に対して発行する会員カードによる態様でもよいし、遊技者の指紋を認識して本人か否かを確認する態様でもよい。
【図面の簡単な説明】
【００３７】
【図１】本発明の一実施形態の遊技機における盗難防止システムが設けられているスロットマシンを示す正面図である。
【図２】本発明の一実施形態の遊技機における盗難防止システムが設けられているスロットマシンを示す側面図である。（ａ）は収容箱非固定モードの状態を示し、（ｂ）は収容箱固定モードの状態を示す。
【図３】本発明の一実施形態の遊技機における盗難防止システムのロック装置を示す側面図である。実線で収容箱非固定モードの状態を示し、２点鎖線で収容箱固定モードの状態を示す。
【図４】本発明の一実施形態の遊技機における盗難防止システムが設けられるスロットマシンに付随する被払い出し物収容箱及びその盗難防止システムのうちのロック装置の一部を示す斜視図である。実線で収容箱非固定モードの状態を示し、２点鎖線で収容箱固定モードの状態を示す。
【図５】本発明の一実施形態の遊技機における盗難防止システムを示すブロック図である。
【図６】本発明の一実施形態の遊技機における盗難防止システムの操作部を示す正面図である。
【図７】本発明の一実施形態の遊技機における盗難防止システムの作用を示すフローチャートである。
【符号の説明】
【００３８】
２０  ロック装置
３０  固定部材
１００  スロットマシン（遊技機）
１０６  コイン流路切換装置（遊技制限手段）
１１０  棚（被払い出し物収容箱載置部）
１２０  被払い出し物収容箱
【図１】
2007111062.tif 000003
【図２】
2007111062.tif 000004
【図３】
2007111062.tif 000005
【図４】
2007111062.tif 000006
【図５】
2007111062.tif 000007
【図６】
2007111062.tif 000008
【図７】
2007111062.tif 000009